(57)【要約】【課題】誤った向きでの取付けを防止できるハゼ式折板屋根用のタイトフレームを提供すること。【解決手段】山部１にハゼ式折板屋根材５取付用の吊子６を固定するための吊子固定部３が設けられているタイトフレームＡにおいて、前記タイトフレームＡには矢印記号７が表示され、この矢印記号７が同じ方向を向くようにして複数のタイトフレームＡを連結することにより、複数のタイトフレームＡの取付け向きが揃うように構成されている。【選択図】図１
2020097878.tif 000002
【特許請求の範囲】
【請求項１】
山部にハゼ式折板屋根材取付用の吊子を固定するための吊子固定部が設けられているタイトフレームにおいて、前記タイトフレームには矢印記号が表示され、この矢印記号が同じ方向を向くようにして複数のタイトフレーム同志を連結することにより、複数のタイトフレームの取付け向きが揃うように構成されていることを特徴とするタイトフレーム。
【請求項２】
前記矢印記号は、ハゼ式折板屋根材を葺いていく方向を示していることを特徴とする請求項１記載のタイトフレーム。
【請求項３】
山部と谷部が交互に連続する形状に形成されていると共に、両端部がこの両端部同志を連結することで前記谷部を構成可能な半谷形端部に形成されている前記タイトフレームにおいて、前記矢印記号は、前記半谷形端部に設けられていることを特徴とする請求項１，２のいずれか１項に記載のタイトフレーム。
【請求項４】
一端側の前記半谷形端部に、前記矢印記号の矢尻部分が表示され、他端側の前記半谷形端部に前記矢印記号の矢柄部分が表示されていて、複数の前記タイトフレームを連結した際に、連結したタイトフレーム同志の取付け向きが揃っていると、半谷形端部同志の連結によって形成された前記谷部に前記矢尻部分と前記矢柄部分とが合体した前記矢印記号が表示され、連結したタイトフレームの取付け向きが不揃いであると、半谷形端部同志の連結によって形成された前記谷部に前記矢尻部分同志が合体した誤記号若しくは前記矢柄部分同志が合体した誤記号が表示されるように構成されていることを特徴とする請求項３記載のタイトフレーム。
【請求項５】
前記矢印記号は、矢印形の切欠若しくは矢印形の貫通穴で構成されていることを特徴とする請求項１〜４のいずれか１項に記載のタイトフレーム。
【発明の詳細な説明】
【技術分野】
【０００１】
本発明は、ハゼ式折板屋根を固定するためのタイトフレームに関するものである。
【背景技術】
【０００２】
ハゼ式の折板屋根は、屋根下地材の上面に所定長のタイトフレームが複数連結状態で固定され、このタイトフレーム上に、折板屋根材を順次被嵌して取付け固定することで構成されている（例えば、特許文献１参照。）。
【０００３】
更に詳しくは、タイトフレームの山部に固定された吊子に、ハゼ式折板屋根材の両端の接合部を重合させてハゼ締めすることによりタイトフレーム上に吊子を介して折版屋根材を取付け固定している。
【０００４】
また、タイトフレームの山部は、途中に段差を有する形状、即ち上段部と下段部を有する上下二段形状に折曲形成され、この山部の下段部が吊子固定部として構成されていて、この吊子固定部に吊子を載置した上で、この吊子固定部と吊子とを上下方向に貫通する固定具（例えば、ボルト・ナット）を用いて吊子を固定できるように構成されている。
【先行技術文献】
【特許文献】
【０００５】
【特許文献１】実用新案登録第３２１４８５１号公報
【発明の概要】
【発明が解決しようとする課題】
【０００６】
ハゼ式の折板屋根構造は、屋根板材を葺いていく方向に対するタイトフレームの取付け向き（吊子固定部に対する吊子の固定向き）が決まっており、取付け向きを間違ってタイトフレームを屋根下地材上に溶接固定してしまうと、溶接箇所を切断して再度溶接し直さなければならないので付け直し作業が大変である。
【０００７】
特に大型の建築物では、何百から何千ものタイトフレームの溶接作業が必要となるので、誤った取付けが行われると付け直し作業は困難を極める。
【０００８】
また、近年は人手不足により経験の浅い職人も多く、経験不足から誤った取付けが行われる懸念も大きい。
【０００９】
本発明は、このような事情に鑑みて発案されたもので、誤った向きでの取付けを防止できるハゼ式折板屋根用のタイトフレームを提供することが技術的課題である。
【課題を解決するための手段】
【００１０】
添付図面を参照して本発明の要旨を説明する。
【００１１】
山部１にハゼ式折板屋根材５取付用の吊子６を固定するための吊子固定部３が設けられているタイトフレームＡにおいて、前記タイトフレームＡには矢印記号７が表示され、この矢印記号７が同じ方向を向くようにして複数のタイトフレームＡ同志を連結することにより、複数のタイトフレームＡの取付け向きが揃うように構成されていることを特徴とするタイトフレームに係るものである。
【００１２】
また、前記矢印記号７は、ハゼ式折板屋根材５を葺いていく方向を示していることを特徴とする請求項１記載のタイトフレームに係るものである。
【００１３】
また、山部１と谷部２が交互に連続する形状に形成されていると共に、両端部がこの両端部同志を連結することで前記谷部２を構成可能な半谷形端部４に形成されている前記タイトフレームＡにおいて、前記矢印記号７は、前記半谷形端部４に設けられていることを特徴とする請求項１，２のいずれか１項に記載のタイトフレームに係るものである。
【００１４】
また、一端側の前記半谷形端部４に、前記矢印記号７の矢尻部分８が表示され、他端側の前記半谷形端部４に前記矢印記号７の矢柄部分９が表示されていて、複数の前記タイトフレームＡを連結した際に、連結したタイトフレームＡ同志の取付け向きが揃っていると、半谷形端部４同志の連結によって形成された前記谷部２に前記矢尻部分８と前記矢柄部分９とが合体した前記矢印記号７が表示され、連結したタイトフレームＡの取付け向きが不揃いであると、半谷形端部４同志の連結によって形成された前記谷部２に前記矢尻部分８同志が合体した誤記号Ｅ１若しくは前記矢柄部分９同志が合体した誤記号Ｅ２が表示されるように構成されていることを特徴とする請求項３記載のタイトフレームに係るものである。
【００１５】
また、前記矢印記号７は、矢印形の切欠若しくは矢印形の貫通穴で構成されていることを特徴とする請求項１〜４のいずれか１項に記載のタイトフレームに係るものである。
【発明の効果】
【００１６】
本発明は上述のように構成したから、作業者がタイトフレームに表示されている矢印記号を確認し、この矢印記号が同じ方向を向くようにして複数のタイトフレームを連結するだけで、複数のタイトフレームの取付け向きを揃えることができ、従って、熟練者でなくとも複数のタイトフレームを簡単に正しい取付け向きで屋根下地材上に連結固定することができる極めて実用性に優れたタイトフレームとなる。
【００１７】
また、請求項２記載の発明においては、予め設定しておいた屋根を葺いていく方向に対して、正しい取付け向きで複数を連結固定することが容易に行われる一層実用性に優れた構成のタイトフレームとなる。
【００１８】
また、請求項３記載の発明においては、タイトフレームは屋根下地材に対して谷部が固定されるが、この谷部を構成し且つ連結するタイトフレーム同志の突き合せ端部である半谷形端部に矢印記号が表示されているから、タイトフレームを屋根下地材に固定する際に作業者が矢印記号を確実に視認して取付け向きを確認可能となる一層実用性に優れた構成のタイトフレームとなる。
【００１９】
また、請求項４記載の発明においては、複数のタイトフレームを連結しようと並べた際に、矢印記号が表示されているか誤記号が表示されているかで一見してタイトフレーム同志の取付け向きが揃っているか否かを確認可能となる一層実用性に優れた構成のタイトフレームとなる。
【００２０】
また、請求項５記載の発明においては、切欠若しくは貫通穴で構成されている矢印記号は、刻印表示などと比べて視認し易く、この矢印記号により取付け向きを非常に確認し易い一層実用性に優れた構成のタイトフレームとなる。
【図面の簡単な説明】
【００２１】
【図１】実施例１を示す斜視図である。
【図２】複数の実施例１が、取付け向きが正しく揃えられて屋根下地材上に連結固定されている状態を示す説明図である。
【図３】複数の実施例１が、取付け向きが不揃いで屋根下地材上に連結固定されている状態を示す説明図である。
【図４】複数の実施例２が、取付け向きが正しく揃えられて屋根下地材上に連結固定されている状態を示す要部拡大説明図である。
【図５】複数の実施例２が、取付け向きが不揃いで屋根下地材上に連結固定されている状態を示す要部拡大説明図である。
【発明を実施するための形態】
【００２２】
好適と考える本発明の実施形態を、図面に基づいて本発明の作用を示して簡単に説明する。
【００２３】
屋根下地材10上に複数のタイトフレームＡを並べて連結固定するが、この際、作業者がタイトフレームＡに表示されている矢印記号７を確認し、この矢印記号７が同じ方向を向くようにして複数のタイトフレームＡを連結すると、複数のタイトフレームＡの取付け向きが揃うことになる。
【００２４】
従って、作業者が熟練者でなくとも、矢印記号７を確認して全てのタイトフレームＡの矢印記号７が同じ方向を向くように複数のタイトフレームＡを並べるだけで、複数のタイトフレームＡを正しい取付け向きで屋根下地材10上に連結固定することが可能となる。
【００２５】
尚、請求項１中の「矢印記号」なる記載は、完全な矢印の形をなしている記号表示だけを意味しているのではなく、矢印の一部の形をなしている記号表示をも含む意味合いで用いているものである。
【実施例１】
【００２６】
本発明の具体的な実施例１について図１〜図３に基づいて説明する。
【００２７】
本実施例のタイトフレームＡは、ハゼ式折板屋根用であって、図１に示すように、帯状の金属板が折曲されて山部１と谷部２が交互に連続する形状に形成されていると共に、両端部がこの両端部同志を連結することで前記谷部２を構成可能な半谷形端部４に形成されている（図面は、二つの山部１間に谷部２が配設され、各山部１の外側に半谷形端部４が配設された二連タイトフレームＡを示している。）。
【００２８】
また、このタイトフレームＡの山部１は、タイトフレームＡの長さ方向の途中に段差を有する形状、即ち上段部と下段部３を有する上下二段の山形状に折曲形成され、この山部１の下段部11に、ハゼ式折板屋根材５取付用の吊子６を載置し得るように構成されていると共に、この下段部11には、固定ボルト12が立設されていて、下段部11に載置した吊子６をこの固定ボルト12に螺着したナットで締付固定できるように構成されている。
【００２９】
即ち、本実施例の山部１には、前記下段部11と前記固定ボルト12とから成る、ハゼ式折板屋根材５取付用の吊子６を固定するための吊子固定部３が設けられている。
【００３０】
本実施例のタイトフレームＡには、タイトフレームＡの長さ方向に沿った方向を指し示す矢印記号７が表示され、この矢印記号７が同じ方向を向くようにして複数のタイトフレームＡを連結することにより、複数のタイトフレームＡの取付け向きが揃うように構成されている。
【００３１】
具体的には、前記矢印記号７は、前記半谷形端部４に設けられている。
【００３２】
更に詳しくは、一端側（図１における左側）の前記半谷形端部４に、前記矢印記号７の矢尻部分８が表示され、他端側の前記半谷形端部４に前記矢印記号７の矢柄部分９が表示されている。
【００３３】
即ち、複数の前記タイトフレームＡを連結した際に、連結したタイトフレームＡ同志の取付け向きが揃っていると、半谷形端部４同志の連結によって形成された前記谷部２に前記矢尻部分８と前記矢柄部分９とが合体した前記矢印記号７が表示され（図２参照）、連結したタイトフレームＡの取付け向きが不揃いであると、半谷形端部４同志の連結によって形成された前記谷部２に前記矢尻部分８同志が合体した誤記号Ｅ１が表示される（図３（ａ）参照）か、若しくは前記矢柄部分９同志が合体した誤記号Ｅ２が表示される（図３（ｂ）参照）ように構成されている。
【００３４】
また、この矢印記号７は、図２に示すように、ハゼ式折板屋根材５を葺いていく方向を指し示しており、従って、現場状況等に応じて予め設定しておいた折板屋根材５を葺いていく方向に対して、正しい取付け向きでタイトフレームＡを複数連結固定することが容易に行われるように構成されている。
【００３５】
また、この矢印記号７を構成する前記矢尻部分８と前記矢柄部分９とは、切欠で構成されている。この切欠（矢尻部分８，矢柄部分９）は、例えば、規格長のタイトフレームＡとすべく両端を切断する際に、同時に切断端部（半谷形端部４）に矢尻形や矢柄形の切欠を施せる型を切断機に設けることで簡易に設計実現可能である。
【００３６】
尚、この矢印記号７は、刻印を形成したりシールを貼着したりすることによって表示しても良いが、本実施例のような切欠を採用すると、非常に視認し易く、作業者の見間違い等が起こりにくいために好ましい。
【００３７】
また、矢印記号７は、本実施例で示したような、矢印の一部分の切欠表示であって、両端部の半谷形端部４同志を突き合せた際に矢印が合体形成されるものだけでなく、完全な矢印の形をなした矢印記号７が表示されていても良い。また、この場合、矢印記号７は貫通穴で形成されていると、切欠同様に視認し易く好適である。
【実施例２】
【００３８】
本発明の具体的な実施例２について図４，図５に基づいて説明する。
【００３９】
本実施例は、前記実施例１において、前記矢尻部分８の形状を異ならせた場合である。
【００４０】
具体的には、前記実施例１の矢尻部分８は、矢尻に一部矢柄も含まれている形状の切欠で構成されている場合を示していたが、本実施例の矢尻部分８は、矢尻のみの形状の切欠で構成した場合を示している。
【００４１】
従って、本実施例においても、複数の前記タイトフレームＡを連結した際に、連結したタイトフレームＡ同志の取付け向きが揃っていると、半谷形端部４同志の連結によって形成された前記谷部２に前記矢尻部分８と前記矢柄部分９とが合体した前記矢印記号７が表示され（図４参照）、連結したタイトフレームＡの取付け向きが不揃いであると、半谷形端部４同志の連結によって形成された前記谷部２に前記矢尻部分８同志が合体した誤記号Ｅ１が表示される（図５（ａ）参照）か、若しくは前記矢柄部分９同志が合体した誤記号Ｅ２が表示される（図５（ｂ）参照）ように構成されている。
【００４２】
他の構成は、前記実施例１と同様である。
【００４３】
尚、本発明は、実施例１，２に限られるものではなく、各構成要件の具体的構成は適宜設計し得るものである。
【符号の説明】
【００４４】
１  山部
２  谷部
３  吊子固定部
４  半谷形端部
５  折板屋根材
６  吊子
７  矢印記号
８  矢尻部分
９  矢柄部分
Ａ  タイトフレーム
Ｅ１  誤記号
Ｅ２  誤記号
【図１】
2020097878.tif 000003
【図２】
2020097878.tif 000004
【図３】
2020097878.tif 000005
【図４】
2020097878.tif 000006
【図５】
2020097878.tif 000007